(57)【要約】【課題】本発明は車載睡眠枕を開示した。【解決手段】本発明は車載睡眠枕を開示し、固定ブロックを含み、前記固定ブロックの頂面には弾性紐が固定的に設置され、前記弾性紐によって前記固定ブロックを座席の下側に締められ、前記固定ブロックの中には上下に貫通した第一チャンバが左右に対称的に設置され、本発明の車載睡眠睡眠枕は反応が早く、操作が簡単明瞭で、睡眠する時睡眠の質が高く、同時に、本発明の装置が空間をあまりとらなく、功能が豊かで、実用性が強い。【選択図】図１
2020179838.tif 000002
【特許請求の範囲】
【請求項１】
正面視で、車載睡眠枕であって、固定ブロックを含み、前記固定ブロックの頂面には弾性紐が固定的に設置され、前記弾性紐によって前記固定ブロックを座席の下側に締められ、前記固定ブロックの中には上下に貫通した第一チャンバが左右に対称的に設置され、前記第一チャンバの中には第一回転軸と、前記第一回転軸の上側に位置する第二回転軸が回転できるように設置され、前記第一回転軸には第一歯車と、前記第一歯車の前側に位置する長いボードとが固定的に設置され、前記第二回転軸には前記第一歯車と噛み合った第二歯車と、前記第二歯車の前側に位置するラチェットとが固定的に設置され、前記第一チャンバの外側端壁には第一スライド溝が連通して設置され、前記第一スライド溝の中には第一スライド棒がスライドできるように設置され、前記第一スライド棒の前端面には第三回転軸が回転できるように設置され、前記第三回転軸には前記第二歯車を噛み合った歯止めが固定的に設置され、前記歯止めと前記第一スライド棒の前端面との間には第一撥条が連結され、前記固定ブロックの外端壁には外に開口した第二スライド溝が左右に対称的に設置され、前記第二スライド溝の中には第二スライド棒がスライドできるように設置され、前記第二スライド棒と前記第一スライド棒との間には液圧管が伝動できるように設置され、前記第二スライド棒の外側にはハンドルが固定的に設置され、前記第二スライド溝の底壁には第三スライド溝が連通して設置され、前記第三スライド溝の中には前記第二スライド棒と固定的に連結されるスライダがスライドできるように設置され、前記スライダと前記第三スライド溝の外端壁との間には第二撥条が連結され、前記長いボードの底面には睡眠枕が固定的に設置され、前記長いボードの中には上に開口した第二チャンバが設置され、前記第二チャンバの底壁には下に開口した凹溝が設置され、前記凹溝の頂壁には硬い管が連通して連結され、前記硬い管と前記第二チャンバとの間には金属板バネが設置され、
そのため、前記長いボードを回転させる時、前記ラチェットと前記歯止めとが伝動して前記長いボードが逆方向に回転するのを防止し、前記ハンドルを抜き出す時、前記ラチェットと前記歯止めが離れ合うことを特徴とする車載睡眠枕。
【請求項２】
前記固定ブロックの中間底面にはクッションが固定的に設置され、前記固定ブロックの中間端壁の中には第三チャンバが設置され、前記第三チャンバの中には芳香具が設置され、前記第三チャンバの底端には左右に前記第一チャンバに連通した第四スライド溝が連通して設置され、前記第四スライド溝の中にはスライドボードがスライドできるように設置され、二つの前記スライドボードの間には第三撥条が連結され、前記長いボードの頂面には前記第一歯車の前側に位置するリールが固定的に設置され、前記リールと前記スライドボードとの間には鋼線が連結され、前記第四スライド溝の底壁には通溝が連通して設置され、前記通溝の底壁には左右に貫通した抜き穴が連通して設置され、前記長いボードと前記睡眠枕との中には前記凹溝に連通するL型抜き穴が設置され、前記L型抜き穴と前記抜き穴との間には蛇管が連結され、
それにより、前記リールが前記スライドボードをスライド連動させ、前記スライドボードがスライドして前記芳香具の中の香りを散布することを特徴とする請求項１に記載の車載睡眠枕。
【請求項３】
前記固定ブロックの底壁にはスピーカーが左右に対称的に固定的に設置され、前記スピーカーの外端壁の中にはスイッチが固定的に設置され、前記スイッチと前記スピーカーとの間には導線が電気接続され、前記固定ブロックの底面には棒磁石が左右に対称的に固定的に設置され、前記長いボードの中には前記棒磁石と吸引し合う磁石ブロックが固定的に設置され、前記長いボードの頂面には前記スイッチを押えられる押え棒が固定的に設置され、
それにより、前記棒磁石と前記磁石ブロックとが吸引し合う時、前記押え棒が前記スイッチを押えて前記スピーカーに通電させることを特徴とする請求項１に記載の車載睡眠枕。
【発明の詳細な説明】
【技術分野】
【０００１】
本発明は自動車部品の分野を取り上げて、具体的には車載睡眠枕できる。
【背景技術】
【０００２】
車内で眠る時、車体が揺動するせいで、睡眠の質が悪く、しかも車内座席の左右両側によって頭をちゃんとサポートできなく、サイドウィンドウにもたれるしかなく、結局寝心地がすごく不快であり、
それに、一般的な睡眠枕は機能が単一で、固定効果が悪く、
そのため、車載睡眠枕を設計して上記問題を解決する。
【先行技術文献】
【特許文献】
【０００３】
【特許文献１】中国特許出願公開第107997863号明細書
【発明の概要】
【発明が解決しようとする課題】
【０００４】
本発明の解決する技術問題は車載睡眠枕を提供し、それが上記現在技術問題を解決できる。
【課題を解決するための手段】
【０００５】
本発明の車載睡眠枕は、固定ブロックを含み、前記固定ブロックの頂面には弾性紐が固定的に設置され、前記弾性紐によって前記固定ブロックを座席の下側に締められ、前記固定ブロックの中には上下に貫通した第一チャンバが左右に対称的に設置され、前記第一チャンバの中には第一回転軸と、前記第一回転軸の上側に位置する第二回転軸が回転できるように設置され、前記第一回転軸には第一歯車と、前記第一歯車の前側に位置する長いボードとが固定的に設置され、前記第二回転軸には前記第一歯車と噛み合った第二歯車と、前記第二歯車の前側に位置するラチェットとが固定的に設置され、前記第一チャンバの外側端壁には第一スライド溝が連通して設置され、前記第一スライド溝の中には第一スライド棒がスライドできるように設置され、前記第一スライド棒の前端面には第三回転軸が回転できるように設置され、前記第三回転軸には前記第二歯車を噛み合った歯止めが固定的に設置され、前記歯止めと前記第一スライド棒の前端面との間には第一撥条が連結され、前記固定ブロックの外端壁には外に開口した第二スライド溝が左右に対称的に設置され、前記第二スライド溝の中には第二スライド棒がスライドできるように設置され、前記第二スライド棒と前記第一スライド棒との間には液圧管が伝動できるように設置され、前記第二スライド棒の外側にはハンドルが固定的に設置され、前記第二スライド溝の底壁には第三スライド溝が連通して設置され、前記第三スライド溝の中には前記第二スライド棒と固定的に連結されるスライダがスライドできるように設置され、前記スライダと前記第三スライド溝の外端壁との間には第二撥条が連結され、前記長いボードの底面には睡眠枕が固定的に設置され、前記長いボードの中には上に開口した第二チャンバが設置され、前記第二チャンバの底壁には下に開口した凹溝が設置され、前記凹溝の頂壁には硬い管が連通して連結され、前記硬い管と前記第二チャンバとの間には金属板バネが設置され、
そのため、前記長いボードを回転させる時、前記ラチェットと前記歯止めとが伝動して前記長いボードが逆方向に回転するのを防止し、前記ハンドルを抜き出す時、前記ラチェットと前記歯止めが離れ合う。
【０００６】
更なる技術方案、前記固定ブロックの中間底面にはクッションが固定的に設置され、前記固定ブロックの中間端壁の中には第三チャンバが設置され、前記第三チャンバの中には芳香具が設置され、前記第三チャンバの底端には左右に前記第一チャンバに連通した第四スライド溝が連通して設置され、前記第四スライド溝の中にはスライドボードがスライドできるように設置され、二つの前記スライドボードの間には第三撥条が連結され、前記長いボードの頂面には前記第一歯車の前側に位置するリールが固定的に設置され、前記リールと前記スライドボードとの間には鋼線が連結され、前記第四スライド溝の底壁には通溝が連通して設置され、前記通溝の底壁には左右に貫通した抜き穴が連通して設置され、前記長いボードと前記睡眠枕との中には前記凹溝に連通するL型抜き穴が設置され、前記L型抜き穴と前記抜き穴との間には蛇管が連結され、
それにより、前記リールが前記スライドボードをスライド連動させ、前記スライドボードがスライドして前記芳香具の中の香りを散布する。
【０００７】
更なる技術方案、前記固定ブロックの底壁にはスピーカーが左右に対称的に固定的に設置され、前記スピーカーの外端壁の中にはスイッチが固定的に設置され、前記スイッチと前記スピーカーとの間には導線が電気接続され、前記固定ブロックの底面には棒磁石が左右に対称的に固定的に設置され、前記長いボードの中には前記棒磁石と吸引し合う磁石ブロックが固定的に設置され、前記長いボードの頂面には前記スイッチを押えられる押え棒が固定的に設置され、
それにより、前記棒磁石と前記磁石ブロックとが吸引し合う時、前記押え棒が前記スイッチを押えて前記スピーカーに通電させる。
【発明の効果】
【０００８】
以上により、本発明の車載睡眠睡眠枕は反応が早く、操作が簡単明瞭で、睡眠する時睡眠の質が高く、
同時に、本発明の装置が空間をあまりとらなく、功能が豊かで、実用性が強い。
【図面の簡単な説明】
【０００９】
下記に図1〜4をあわせて本発明について詳しく説明し、便利に説明するために、下記の方向を以下のように規定する：図１は本発明装置の正面図であり、以下に述べる上下左右前後の方向と図1の自身投影関係の上下左右前後の方向とが一致である。
【００１０】
【図１】図1は本発明の車載睡眠枕の全体構成模式図
【図２】図2は図1のAーAの構成模式図
【図３】図3は図2のBの拡大構成模式図
【図４】図4は図2のCの拡大構成模式図
【発明を実施するための形態】
【００１１】
本説明書に公開されるいずれもの特徴、或いは公開されるいずれもの方法或いは過程中の順序は互いに排斥する特徴/或いは順序以外、いかなる方式によって組み合わせる。
【００１２】
図1〜4に示されるように、本発明の車載睡眠枕は、固定ブロック12を含み、前記固定ブロック12の頂面には弾性紐10が固定的に設置され、前記弾性紐10によって前記固定ブロック12を座席11の下側に締められ、前記固定ブロック12の中には上下に貫通した第一チャンバ21が左右に対称的に設置され、前記第一チャンバ21の中には第一回転軸46と、前記第一回転軸46の上側に位置する第二回転軸48が回転できるように設置され、前記第一回転軸46には第一歯車44と、前記第一歯車44の前側に位置する長いボード35とが固定的に設置され、前記第二回転軸48には前記第一歯車44と噛み合った第二歯車50と、前記第二歯車50の前側に位置するラチェット49とが固定的に設置され、前記第一チャンバ21の外側端壁には第一スライド溝43が連通して設置され、前記第一スライド溝43の中には第一スライド棒42がスライドできるように設置され、前記第一スライド棒42の前端面には第三回転軸40が回転できるように設置され、前記第三回転軸40には前記第二歯車50を噛み合った歯止め41が固定的に設置され、前記歯止め41と前記第一スライド棒42の前端面との間には第一撥条39が連結され、前記固定ブロック12の外端壁には外に開口した第二スライド溝14が左右に対称的に設置され、前記第二スライド溝14の中には第二スライド棒16がスライドできるように設置され、前記第二スライド棒16と前記第一スライド棒42との間には液圧管13が伝動できるように設置され、前記第二スライド棒16の外側にはハンドル15が固定的に設置され、前記第二スライド溝14の底壁には第三スライド溝17が連通して設置され、前記第三スライド溝17の中には前記第二スライド棒16と固定的に連結されるスライダ19がスライドできるように設置され、前記スライダ19と前記第三スライド溝17の外端壁との間には第二撥条18が連結され、前記長いボード35の底面には睡眠枕33が固定的に設置され、前記長いボード35の中には上に開口した第二チャンバ36が設置され、前記第二チャンバ36の底壁には下に開口した凹溝31が設置され、前記凹溝31の頂壁には硬い管32が連通して連結され、前記硬い管32と前記第二チャンバ36との間には金属板バネ34が設置され、
そのため、前記長いボード35を回転させる時、前記ラチェット49と前記歯止め41とが伝動して前記長いボード35が逆方向に回転するのを防止し、前記ハンドル15を抜き出す時、前記ラチェット49と前記歯止め41が離れ合う。
【００１３】
有益なように、前記固定ブロック12の中間底面にはクッション27が固定的に設置され、前記固定ブロック12の中間端壁の中には第三チャンバ24が設置され、前記第三チャンバ24の中には芳香具23が設置され、前記第三チャンバ24の底端には左右に前記第一チャンバ21に連通した第四スライド溝30が連通して設置され、前記第四スライド溝30の中にはスライドボード28がスライドできるように設置され、二つの前記スライドボード28の間には第三撥条25が連結され、前記長いボード35の頂面には前記第一歯車44の前側に位置するリール45が固定的に設置され、前記リール45と前記スライドボード28との間には鋼線47が連結され、前記第四スライド溝30の底壁には通溝26が連通して設置され、前記通溝26の底壁には左右に貫通した抜き穴29が連通して設置され、前記長いボード35と前記睡眠枕33との中には前記凹溝31に連通するL型抜き穴20が設置され、前記L型抜き穴20と前記抜き穴29との間には蛇管22が連結され、
それにより、前記リール45が前記スライドボード28をスライド連動させ、前記スライドボード28がスライドして前記芳香具23の中の香りを散布する。
【００１４】
有益なように、前記固定ブロック12の底壁にはスピーカー37が左右に対称的に固定的に設置され、前記スピーカー37の外端壁の中にはスイッチ54が固定的に設置され、前記スイッチ54と前記スピーカー37との間には導線38が電気接続され、前記固定ブロック12の底面には棒磁石51が左右に対称的に固定的に設置され、前記長いボード35の中には前記棒磁石51と吸引し合う磁石ブロック52が固定的に設置され、前記長いボード35の頂面には前記スイッチ54を押えられる押え棒53が固定的に設置され、
それにより、前記棒磁石51と前記磁石ブロック52とが吸引し合う時、前記押え棒53が前記スイッチ54を押えて前記スピーカー37に通電させる。
【００１５】
以下、付図1〜4及び上記の本願発明の車載睡眠枕の具体的な構造を参考してその使い方を詳しく説明する：
【００１６】
睡眠枕を需要しない時、睡眠枕33が水平状態であり、押え棒53がスイッチ54を押え、スイッチ54が導線38によってスピーカー37に通電させ、即ちスピーカー37が音を出してミュージックをプレイし、同時に第二チャンバ36がスピーカー37を完全にカバーし、スピーカー37の中の音波が金属板バネ34によって硬い管32に伝達し、音を生じる本質が振動であるため、硬い管32と金属板バネ34との接触によってスピーカー37から睡眠枕33に吸収される音を減少し、スピーカー37から出した音の衰弱が少なくて音質が良くなる。
【００１７】
睡眠枕を使って眠る時、一側の長いボード35を回転させて、長いボード35が第一歯車44とリール45を回転連動させ、第一歯車44が第二歯車50とラチェット49を回転連動させ、ラチェット49と歯止め41とが係合して硬い管32とクッション27とをいろんな角度に形成させ、使用者が適応な睡眠姿勢に調整するのに便利を与え、同時にリール45が回転して鋼線47を巻き、スライドボード28が引っ張られ、スライドボード28は第三チャンバ24を閉じなくなり、第三チャンバ24の中の芳香具23が抜き穴29の中に睡眠に効き目のある香りを散布し、蛇管22とL型抜き穴20を経由して凹溝31の中に入り、この時凹溝31が頭とぴたりと張り付き、使用者が芳香具23の香りを吸い込むのに便利を与え、睡眠の質を高める。
【００１８】
睡眠が完成した後又は反方向に角度を調整する時、ハンドル15を引っ張り、ハンドル15が第二スライド棒16をスライド連動させ、第二スライド棒16が液圧管13によって第一スライド棒42をスライド連動させ、第一スライド棒42がスライドした後歯止め41とラチェット49とを離れさせ、長いボード35が逆方向に回転し、角度を反方向に調整する。
【００１９】
以上により、本発明の車載睡眠睡眠枕は反応が早く、操作が簡単明瞭で、睡眠する時睡眠の質が高く、
同時に、本発明の装置が空間をあまりとらなく、功能が豊かで、実用性が強い。
【００２０】
以上により、発明の具体実施方式だけであり、ところが、発明の保護範囲はこれには限らない、創造性労働のない考えた変化や入替えは、発明の保護範囲の中に含むべきである。
【図１】
2020179838.tif 000003
【図２】
2020179838.tif 000004
【図３】
2020179838.tif 000005
【図４】
2020179838.tif 000006
【手続補正書】
【提出日】令和1年12月26日(2019.12.26)
【手続補正１】
【補正対象書類名】特許請求の範囲
【補正対象項目名】請求項１
【補正方法】変更
【補正の内容】
【請求項１】
正面視で上方に固定ブロックを有する車載睡眠枕であって、前記固定ブロックの頂面には弾性紐が固定的に設置され、前記弾性紐によって前記固定ブロックを座席の下側に締められ、前記固定ブロックの中には上下に貫通した第一チャンバが左右に対称的に設置され、前記第一チャンバの中には第一回転軸と、前記第一回転軸の上側に位置する第二回転軸が回転できるように設置され、前記第一回転軸には第一歯車と、前記第一歯車の前側に位置する長いボードとが固定的に設置され、前記第二回転軸には前記第一歯車と噛み合った第二歯車と、前記第二歯車の前側に位置するラチェットとが固定的に設置され、前記第一チャンバの外側端壁には第一スライド溝が連通して設置され、前記第一スライド溝の中には第一スライド棒がスライドできるように設置され、前記第一スライド棒の前端面には第三回転軸が回転できるように設置され、前記第三回転軸には前記第二歯車を噛み合った歯止めが固定的に設置され、前記歯止めと前記第一スライド棒の前端面との間には第一撥条が連結され、前記固定ブロックの外端壁には外に開口した第二スライド溝が左右に対称的に設置され、前記第二スライド溝の中には第二スライド棒がスライドできるように設置され、前記第二スライド棒と前記第一スライド棒との間には液圧管が伝動できるように設置され、前記第二スライド棒の外側にはハンドルが固定的に設置され、前記第二スライド溝の底壁には第三スライド溝が連通して設置され、前記第三スライド溝の中には前記第二スライド棒と固定的に連結されるスライダがスライドできるように設置され、前記スライダと前記第三スライド溝の外端壁との間には第二撥条が連結され、前記長いボードの底面には睡眠枕が固定的に設置され、前記長いボードの中には上に開口した第二チャンバが設置され、前記第二チャンバの底壁には下に開口した凹溝が設置され、前記凹溝の頂壁には硬い管が連通して連結され、前記硬い管と前記第二チャンバとの間には金属板バネが設置され、そのため、前記長いボードを回転させる時、前記ラチェットと前記歯止めとが伝動して前記長いボードが逆方向に回転するのを防止し、前記ハンドルを抜き出す時、前記ラチェットと前記歯止めが離れ合うことを特徴とする車載睡眠枕。